【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
内燃機関の吸入空気流通経路に配置される円筒型空気濾過清浄器の再生方法であって、
使用済みの空気濾過清浄器の外筒を剥離して、濾過紙からなるフィルタを撤去する工程と、
エキスパンドメタル又はパンチングメタルで構成された最内側円筒体の外表面に、ホルミシス効果を奏する第１繊維材を巻装する工程と、
前記円筒型第１繊維材の外表面に、炭素繊維素材からなる吸入空気活性材を単一又は複数回巻装する工程と、
前記円筒型吸入空気活性材の外表面に、ホルミシス効果を奏する第２繊維材を単一又は複数回巻装する工程と、
前記第２繊維材の外表面又は外側に、ホルミシス効果を奏する第３繊維材を巻装すると共に、空気濾過清浄器の鍔の対向面間に予め立設した単一の平板バー又は複数の平板バーのうちの一つに、前記第３繊維材の両端を面ファスナーで固定する工程と、からなることを特徴とする内燃機関の円筒型空気濾過清浄器の再生方法。
【請求項２】
内燃機関の吸入空気流通経路に配置される円筒型空気濾過清浄器の再生方法であって、
使用済みの空気濾過清浄器の外筒を剥離して、濾過紙からなるフィルタを撤去する工程と、
エキスパンドメタル又はパンチングメタルで構成された最内側円筒体の外表面に、濾過機能を有する第１繊維材を巻装する工程と、
前記円筒型第１繊維材の外表面に、炭素繊維素材からなる吸入空気活性材を単一又は複数回巻装する工程と、
前記円筒型吸入空気活性材の外表面に、濾過機能を有する第２繊維材を単一又は複数回巻装する工程と、
前記第２繊維材の外表面又は外側に、濾過機能を有する第３繊維材を巻装すると共に、空気濾過清浄器の鍔の対向面間に予め立設した単一の平板バー又は複数の平板バーのうちの一つに、前記第３繊維材の両端を面ファスナーで固定する工程と、からなることを特徴とする内燃機関の円筒型空気濾過清浄器の再生方法。
【請求項３】
内燃機関の吸入空気流通経路に配置される円筒型空気濾過清浄器の再生方法であって、
使用済みの空気濾過清浄器の外筒を剥離して、濾過紙からなるフィルタを撤去する工程と、
前記空気濾過清浄器の鍔の対向面間に、単一又は複数の平板バーを立設する行程と、
エキスパンドメタル又はパンチングメタルで構成された最内側円筒体の外表面に、濾過機能を有する第１繊維材を巻装する工程と、
前記円筒型第１繊維材の外表面に、炭素繊維素材からなる吸入空気活性材を単一又は複数回巻装する工程と、
前記円筒型吸入空気活性材の外表面に、濾過機能を有する第２繊維材を単一又は複数回巻装する工程と、
前記第２繊維材の外表面又は外側に、濾過機能を有する第３繊維材を巻装すると共に、前記第３繊維材の両端を前記第２繊維材の外表面に面ファスナーで固定する工程と、からなることを特徴とする内燃機関の円筒型空気濾過清浄器の再生方法。
【手続補正２】
【補正対象書類名】明細書
【補正対象項目名】０００６
【補正方法】変更
【補正の内容】
【０００６】
すなわち、請求項１記載の発明は、内燃機関の吸入空気流通経路に配置される円筒型空気濾過清浄器の再生方法であって、使用済みの空気濾過清浄器の外筒を剥離して、濾過紙からなるフィルタを撤去する工程と、エキスパンドメタル又はパンチングメタルで構成された最内側円筒体の外表面に、ホルミシス効果を奏する第１繊維材を巻装する工程と、前記円筒型第１繊維材の外表面に、炭素繊維素材からなる吸入空気活性材を単一又は複数回巻装する工程と、前記円筒型吸入空気活性材の外表面に、ホルミシス効果を奏する第２繊維材を単一又は複数回巻装する工程と、前記第２繊維材の外表面又は外側に、ホルミシス効果を奏する第３繊維材を巻装すると共に、空気濾過清浄器の鍔の対向面間に予め立設した単一の平板バー又は複数の平板バーのうちの一つに、前記第３繊維材の両端を面ファスナーで固定する工程と、からなることを特徴とする。
また、請求項２記載の発明は、内燃機関の吸入空気流通経路に配置される円筒型空気濾過清浄器の再生方法であって、使用済みの空気濾過清浄器の外筒を剥離して、濾過紙からなるフィルタを撤去する工程と、エキスパンドメタル又はパンチングメタルで構成された最内側円筒体の外表面に、濾過機能を有する第１繊維材を巻装する工程と、前記円筒型第１繊維材の外表面に、炭素繊維素材からなる吸入空気活性材を単一又は複数回巻装する工程と、前記円筒型吸入空気活性材の外表面に、濾過機能を有する第２繊維材を単一又は複数回巻装する工程と、前記第２繊維材の外表面又は外側に、濾過機能を有する第３繊維材を巻装すると共に、空気濾過清浄器の鍔の対向面間に予め立設した単一の平板バー又は複数の平板バーのうちの一つに、前記第３繊維材の両端を面ファスナーで固定する工程と、からなることを特徴とする
また、請求項３記載の発明は、内燃機関の吸入空気流通経路に配置される円筒型空気濾過清浄器の再生方法であって、使用済みの空気濾過清浄器の外筒を剥離して、濾過紙からなるフィルタを撤去する工程と、前記空気濾過清浄器の鍔の対向面間に、単一又は複数の平板バーを立設する行程と、エキスパンドメタル又はパンチングメタルで構成された最内側円筒体の外表面に、濾過機能を有する第１繊維材を巻装する工程と、前記円筒型第１繊維材の外表面に、炭素繊維素材からなる吸入空気活性材を単一又は複数回巻装する工程と、前記円筒型吸入空気活性材の外表面に、濾過機能を有する第２繊維材を単一又は複数回巻装する工程と、前記第２繊維材の外表面又は外側に、濾過機能を有する第３繊維材を巻装すると共に、前記第３繊維材の両端を前記第２繊維材の外表面に面ファスナーで固定する工程と、からなることを特徴とする。
【手続補正３】
【補正対象書類名】明細書
【補正対象項目名】００１６
【補正方法】変更
【補正の内容】
【００１６】
尚、脱着用繊維材としての第３繊維材２７は、図２に示すように略矩形体からなる平板状に形成され、その両端には雄型・雌型の面ファスナー２７ａ、２７ｂを固着してあり、これを巻装した後この面ファスナー２７ａ、２７ｂで第３平板バー２８ｃの両側面に固定するか、図１に示すように第２繊維材２６の外表面に固定する。
【手続補正４】
【補正対象書類名】明細書
【補正対象項目名】００２１
【補正方法】変更
【補正の内容】
【００２１】
次に、図５（ｂ）に示すように前記第１繊維材２４の外表面又は外側に、円筒型吸入空気活性材２５を単一又は複数回巻装し、この両端をホットボンド又は接着剤等で固定する。
尚、円筒型吸入空気活性材２５は、例えば炭素繊維素材で構成されるが、これに限定されず、前述したようにトルマリン粉粒剤やモナズ石粉粒剤等各種の材料が考えられる。そして、これらの材料を適宜混合し、作製してもよい。
【手続補正５】
【補正対象書類名】明細書
【補正対象項目名】００２２
【補正方法】変更
【補正の内容】
【００２２】
さらに、図６（ａ）に示すように、前記円筒型吸入空気活性材２５の外表面又は外側に単一又は複数回に渉り、第２繊維材２６を巻装する。この際、上下の鍔２９、２９の対向面に於ける周縁部２９ａ、２９ｂに立設・固定された第１ないし第３平板バー２８ａ、２８ｂ、２８ｃの内側、つまり間隔Ｓ内をくぐらせるようにして巻装し、該第２繊維材２６の端部をホットボンド又は接着剤等で固定する。尚、第２繊維材２６の端部に雄型又は雌型の面ファスナーを貼付け、これを結合することにより固定してもよい。
【手続補正６】
【補正対象書類名】明細書
【補正対象項目名】００２３
【補正方法】変更
【補正の内容】
【００２３】
そして、図６（ｂ）に示すように、第３繊維材２７を第２繊維材２６の外表面又は外側に巻装する。このとき、該第３繊維材２７は、前記第１、第２平板バー２８ａ、２８ｂを被覆すると共にその両端には雄型・雌型の面ファスナー２７ａ、２７ｂを固着し、この雄型・雌型面ファスナー２７ａ、２７ｂを、第３平板バー２８ｃの両側面に密着固定するか、図１に示すように第２繊維材２６の外表面に固定する。